(57)【要約】【課題】車窓は、騒音の最大の侵入箇所であり、また車外の陽光を露骨に受けるため大きく睡眠を妨げる箇所でもあり、更には雨天走行時や寒暖差の大きい土地柄では車窓内面に結露を生起し、車内湿度等の劣悪環境が乗客に不快感を与える原因ともなっていた。【解決手段】  列車の内部の進行方向の一側を居住空間や寝室空間等に区画形成すると共に、他側を通路に形成して構成した観光車輌において、居住空間或は寝室空間の外側壁に車窓を形成し、車窓は固定した外窓ガラスと、その内側に重ねた状態で上方に巻取自在のすだれ体と、左右に開閉自在の引戸とした左右障子体と、左右に開閉自在の引戸とした左右扉体と、左右に開閉自在に張設した布状のカーテンとを重ねて配設し、しかも、最内側に張設したカーテンの四方周縁には車窓を枠付けする状態で額縁状の装飾枠体を設けたことを特徴とする。【選択図】図５
2015174507.tif 000002
【特許請求の範囲】
【請求項１】
列車の内部の進行方向の一側を居住空間や寝室空間等に区画形成すると共に、他側を通路に形成して構成した観光車輌において、居住空間或は寝室空間の外側壁に車窓を形成し、車窓は
固定した外窓ガラスと、
その内側に重ねた状態で
上方に巻取自在のすだれ体と、
左右に開閉自在の引戸とした左右障子体と、
左右に開閉自在の引戸とした左右扉体と、
左右に開閉自在に張設した布状のカーテンとを重ねて配設し、
しかも、最内側に張設したカーテンの四方周縁には車窓を枠付けする状態で額縁状の装飾枠体を設けたことを特徴とする軌道観光列車の車窓構造。
【請求項２】
外窓ガラスとカーテンとの間に重ねて配設したすだれ体と左右障子体と左右扉体はその前後配設順序を任意としたことを特徴とする請求項１に記載の軌道観光列車の車窓構造。
【発明の詳細な説明】
【技術分野】
【０００１】
この発明は、軌道レール上を走行する軌道観光列車の車窓構造に関する。
【背景技術】
【０００２】
従来、レール等の軌道を走行する列車は、用途に合わせて通勤列車や、ビジネス、観光等を主体とした特定駅間の特急列車や、主に宿泊による観光を目的とした寝台列車等の種々の形態の列車がある。
特に最近は、観光時に高級感を味わって貰うための内装や外観に特別の仕様を施し、高価な価格に対応した特別内外仕様列車も誕生し、世間の耳目を集めている。
例えば、ヨーロッパのオリエンタル特急列車や日本のＪＲにおいて運行されている特別観光寝台列車等はこれらの特別内外仕様列車と言うことができる。
これらの従来の特別仕様の観光列車や旅客車両は、例えば実願平９−１８６６に開示されているように、ゆったりと快適な旅ができるようにカーペットを車両内に敷いたものや動くホテルと称される調度品や家具調の仕様を内装し、軌道走行列車とは思われない意外性を誇示することにより世間の注目を集めて経営的な集客手段や極上の観光旅行提供手段として機能するように構成されている。
【先行技術文献】
【特許文献】
【０００３】
【特許文献１】実願平９−１８６６号公報
【発明の概要】
【発明が解決しようとする課題】
【０００４】
しかし、従来のこれらの特別仕様列車は、軌道上を走行移動するという機能上の利点の特性が内装の贅沢な仕様に有効に融合されているか否かという観点から評価すると充分なものではなかった。
すなわち、軌道列車の特性は、車窓の風景が刻々と変化し、特に観光列車にあっては旅行という目的を果しながらも車窓からの種々の風景を楽しむことも最重要な課題であり、そのために乗客に旅行経験を実感させながら刻々変化する車窓外風景を充分に堪能させる機能上の工夫が必要である。
しかしながら車窓は、騒音の最大の侵入箇所であり、また車外の陽光を露骨に受けるため大きく睡眠を妨げる箇所でもあり、更には雨天走行時や寒暖差の大きい土地柄では車窓内面に結露を生起し、車内湿度等の劣悪環境が乗客に不快感を与える原因ともなっていた。
【課題を解決するための手段】
【０００５】
この発明は、列車の内部の進行方向の一側を居住空間や寝室空間等に区画形成すると共に、他側を通路に形成して構成した観光車輌において、居住空間或は寝室空間の外側壁に車窓を形成し、車窓は固定した外窓ガラスと、その内側に重ねた状態で上方に巻取自在のすだれ体と、左右に開閉自在の引戸とした左右障子体と、左右に開閉自在の引戸とした左右扉体と、左右に開閉自在に張設した布状のカーテンとを重ねて配設し、しかも、最内側に張設したカーテンの四方周縁には車窓を枠付けする状態で額縁状の装飾枠体を設けたことを特徴とする軌道観光列車の車窓構造を提供せんとするものである。
【０００６】
また、外窓ガラスとカーテンとの間に重ねて配設したすだれ体と左右障子体と左右扉体はその前後配設順序を任意としたことにも特徴を有する。
【発明の効果】
【０００７】
この発明によれば、観光車輌の内部を長手方向で左右に二分し、一側を居住空間と寝室空間とし、他側を移動用の通路としたことにより、居住空間と寝室空間から車輌外側壁の車窓から外部の流れる風景を見ることができ、特に車窓を枠付けする状態で額縁状の装飾枠体を設けたので単に車窓に外の風景が映すだけではなく、変化する風景が額縁内に収まり、あたかも連続して変化する風景絵画を額縁で飾って観賞するような芸術的な錯覚を生起する効果を有する。
この理は、従来の車窓外の風景を単に窓から観賞するのではなく、装飾額縁内の動く絵画として見ることができるように構成したことと同じであり、観光列車における居住空間や寝室空間における移動価値を一段と向上することができる効果を生起し、乗客に観光列車の観光価値に対して走行周辺の風景絵画を芸術品として提供することができるようになり、従来にない観光列車の新たな価値感を創造することに貢献する。
また、車窓の構造は外窓ガラス、すだれ体、左右障子体、左右扉体、カーテン等の五重の重複層で構成し、その外枠を装飾枠体で囲繞しているため次のような効果を生起することができる。
すなわち、すだれ体は和室の雰囲気を醸成し、外観に木質風の柔らかさを生起することができる効果を有し、その手前に左右障子体を更に重ねて張設したことにより、すだれ体よりもより典型的な和室風の柔らかい紙製障子の雰囲気を生起することができる効果がある。更には、その手前に左右扉体を張設したので閉扉した車窓を車輌内側壁の連続壁となり、車窓の存在を消去して側壁と一体融合壁として安眠や精神安定性に適した雰囲気を生起することができる効果を有する。
また、外窓ガラスに直接重複隣接したすだれ体は木製のすだれ部材を一定隙間を保有して綴製しているため外窓ガラスからの充分な採光を可能とし、車窓外の風景も充分に確認することがでる。更には、外窓ガラスに生起した結露が列車の振動にともない重ねて閉塞した他の障子体や扉体に飛散するのを遮断して防ぐことができる効果がある。
特に観光車輌は軌道車輌の宿命として走行時に継続した微振動を生起するため車窓に張設したすだれ体も上下振動して搖動し、すだれ部材のひご体間の隙間が上下に搖動するひご体で瞬間的に閉塞されることになり、かかるひご体の搖動は上記した結露飛散を遮断する効果を有し、他方、外窓ガラスを透過した車輌外風景をひご体間の隙間から断片的に観賞することもできることになり、新鮮な興味の尽きない動画として風景を観賞することができる効果がある。
また、左右障子体や左右扉体は車窓を閉塞することにより外窓ガラスの振動や外窓ガラスから伝播する走行騒音を遮断して列車内部の静寂性を向上することができると共に、車窓を開放すれば居住空間や寝室空間における風景のみの単調な観賞的雰囲気を変化させることができ乗客に意外性のある楽しみを付与することができる効果がある。
【図面の簡単な説明】
【０００８】
【図１】本発明の軌道観光列車の車窓構造を有する車輌の内部平面説明図
【図２】図１の要部拡大図
【図３】同要部の正面説明図
【図４】同要部の斜視説明図
【図５】同要部の断面説明図
【図６】同要部のすだれ体の中途使用状態を示す正面図
【図７】同要部の使用完了状態を示す正面図
【図８】同要部の左右障子体の使用状態を示す正面図
【図９】同要部の左右扉体の使用状態を示す正面図
【図１０】（ａ）同要部の各種使用形態の説明図、（ｂ）（ａ）のＩ−Ｉ線の横断面図（一部拡大）
【図１１】図５の要部拡大の側断面図
【図１２】図５の要部拡大の側断面図
【発明を実施するための形態】
【実施例】
【０００９】
この発明の実施例は、列車の内部の進行方向の一側を居住空間や寝室空間等に区画形成すると共に、他側を通路に形成して構成した観光車輌において、居住空間或は寝室空間の外側壁に車窓を形成し、車窓は固定した外窓ガラスと、その内側に重ねた状態で上方に巻取自在のすだれ体と、左右に開閉自在の引戸とした左右障子体と、左右に開閉自在の引戸とした左右扉体と、左右に開閉自在に張設した布状のカーテンとを重ねて配設し、しかも、最内側に張設したカーテンの四方周縁には車窓を枠付けする状態で額縁状の装飾枠体を設けたことを特徴とする軌道観光列車の車窓構造を提供せんとするものである。
【００１０】
また、外窓ガラスとカーテンとの間に重ねて配設したすだれ体と左右障子体と左右扉体はその前後配設順序を任意としたことにも特徴を有する。
【００１１】
この発明の実施例を図面に基づき詳説する。
図１および図２は、本発明の軌道観光列車の車窓構造を有する車輌の内部を示している。
すなわち、長手状の観光車輌Ａは進行方向の一側に三部屋Ｒを並列に設け、反対側の他側には通路Ｐを形成しており、三部屋に区画した部屋Ｒはそれぞれ居住空間Ｌと寝室空間Ｓと水回り空間Ｂとに区画している。区画した各空間Ｌ，Ｓ，Ｂには、仕切用の扉等を設けても良く、また図１に示すように仕切りのない連通空間としてもよい。
【００１２】
また隣接した水回り空間Ｂと他の空間Ｌ，Ｓの境には区画壁Ｗ１と開閉扉Ｄ1，Ｄ２を形成している。
図２及び図３に示すように居住空間Ｌや寝室空間Ｓの車輌本体Ａ１の外側壁Ｗ２には一定大きさの車窓２を形成している。
居住空間Ｌには、車窓２に面してテーブルＴ及び椅子Ｃなどの什器を設置し、テーブルＴ上にはスタンドＴ１等の必要な什器を設置しており、車輌本体Ａ１の上側壁内面には壁掛用のランプＴ２が設けられている。
【００１３】
寝室空間ＳにはソファーベッドＳ１が二列に併設されており、これは通常は二個のソファーとして使用され、就寝時にはソファーの背もたれ部をソファー座面に継ぎ足して水平長手状のベッドに変更して使用できるように構成しており、このソファーベッドは二段階の組立てソファーベッドとして最小限の車輌空間で可及的に機能的な広さで使用できるように構成している。
【００１４】
水回り空間Ｂとは、トイレＢ１と洗面台Ｂ２とシャワー室Ｂ３とを機能的に配置しており、いずれも水を使用する空間として機能し、居住空間Ｌと寝室空間Ｓをホテルと同様の使い勝手となるように、かつ各空間を快適に利用できるように構成している。
また、通路Ｐと居住空間Ｌとの間の区画壁Ｗ１には客室扉Ｄ３を設けており、通路Ｐ側の車輌本体外側壁Ｗ３には適当な位置に通常形態の窓部Ｉを設けている。
かかる観光車輌の前端部と後端部には前後車輌と連結した連結通路を形成している。
【００１５】
この発明の要旨は、図３、図５及び図９に示すように、かかる観光車輌Ａの車両本体Ａ１において居住空間Ｌや寝室空間Ｓの車輌本体の外側壁Ｗ２に特別構造を施した車窓２を形成し、該車窓２は外窓ガラス３とすだれ体４と左右障子体５，５と左右扉体６，６とカーテン７との五層重複構造で構成したことにある。
【００１６】
外窓ガラス３は、車輌本体Ａ１の外側壁Ｗ２に形成した窓枠１０に透明素材のガラス１１や樹脂板を装着固定している。
従って、外窓ガラス３は内外方から開閉不能に構成されている。
【００１７】
図５から図７に示すように、すだれ体４は、竹、木材等の有機素材よりなるひご体１３を一定間隔で多数並設し、多数の縦紐体で互いに結束してすだれ状に巻取り、展開自在に構成したものである。
車輌本体Ａ１の外側壁内側で車窓２の上部には、図４、図５及び図１１に示すように下底板にスリットを設けた収納ボックス１４を設けており、該ボックス１４中には芯体１５を横架してすだれ体４の巻取り解舒を可能にしている。すだれ体の巻取り等の操作は、芯体１５にギヤ等を介して連動連結した操作紐体により行う。
【００１８】
収納ボックス１４中に巻取られたすだれ体４は下方に吊下することによりこの収納ボックス１４の芯体１５から解舒されて車窓２の外窓ガラス３を内側から閉塞する。
【００１９】
左右障子体５，５はすだれ体４の内側に重複して配設されている。
図５、図１１及び図１２に示すように車窓２の内側には方形窓枠２０が形成されており、方形窓枠２０を構成する車窓上部枠４９、車窓基部枠３３の上辺と下辺に敷設された上下ガイド溝２１，２２間には左右に分割した各障子体５，５が挟持されており、上下ガイド溝２１，２２に沿って左右障子体５，５は左右にスライドして車窓２を開閉する機能を有しており、方形枠に付設した格子に和紙を張設して障子体５を構成しており、外窓ガラス３からの採光に和紙のフィルター機能をかけて柔らかい光を居住空間に満たすように機能する。
【００２０】
また、外窓ガラス３の内側に付着する結露は、車輌本体Ａ１の振動にともない細かく飛散したとしても和紙張設の左右障子体５，５には直接に付着しないようになる。なぜならば、外窓ガラス３の内面と左右障子体５，５との間にはすだれ体４が介在しているために、列車の微振動と共にすだれ体４も微妙に上下搖動して細い隙間を互いに介在して配列されたひご体１３も搖動しながら外窓ガラス３の内面全体を遮断する動きとなるからである。
【００２１】
また、左右障子体５，５の和紙は、湿度等の調整機能も果たし、特に列車振動による障子体の微振動が和紙素材の植物繊維の編織により形成された微小網目を搖動することになり、湿度や騒音や採光の自然調整を自然に、かつ自動的に行うことができる。
【００２２】
左右扉体６，６は完全な光遮断機能を有する全面板状体で構成されており、居住空間Ｌの外側壁Ｗ２内面と同じ模様や連続した材質板体を用いることにより、外側壁Ｗ２内面と連続した広い壁面を形成し同時に完全に車窓２を被覆して車窓の痕跡を見えないようにしている。
【００２３】
左右扉体６，６も、左右障子体５，５と同様に方形窓枠２０の上下辺に敷設した上下ガイド溝２３，２４間に挟持されて上下ガイド溝２３，２４に沿って左右にスライドし、車窓２の開閉を行う。
【００２４】
左右扉体６，６を閉扉した場合は車輌本体Ａ１の外気との遮断が完全に行われるため居住空間において車輌外気の気温や湿度の影響を受けない。
【００２５】
左右障子体５，５も左右扉体６，６も左右にスライドして開閉するため、当然に車窓２の方形窓枠２０の左右側方には外側壁内部へ解放時の障子体５や扉体６が収納されるだけの収納空間２５（図４参照）が形成されている。
【００２６】
図５、図９及び図１１に示すように左右扉体６，６の更に手前には左右から開閉自在のカーテン７が吊設されている。
このカーテン７は布状の一般のカーテンをひだ状にして使用する。
【００２７】
上記したすだれ体４と左右障子体５，５と左右扉体６，６の順序は本実施例の順に配設する必要はなく、適宜変更しても良い。
【００２８】
また、すだれ体４と左右障子体５，５は、同時に使用してもよく、また一方は収納して片方のみ外窓ガラス３を閉塞した状態で使用してもよい。
【００２９】
左右扉体６，６を閉扉した場合、すだれ体４を吊下して用いると列車の振動にともなうすだれ体４の微搖動が外窓ガラス３内面の結露飛散を抑制して左右扉体６，６の外側面の汚損等を防止することができる。
【００３０】
他方、左右扉体６，６を開扉しカーテン７を開放し、すだれ体４を吊下して用いると、前述したすだれ体４の外観的な特徴と機能、すなわち車輌外方からの採光機能と、列車の搖動によるすだれ体４搖動で生起する採光変化の外観的特徴、及び外窓ガラス３内面の結露の飛散から車内を守る機能等を果すことができる。
【００３１】
また、すだれ体４の吊下と同時に左右障子体５，５を閉塞して併用する場合は、車輌外方からの採光はより抑制されてすだれ体４の搖動による採光変化の趣はより柔軟となり、また、結露の飛散防止機能はすだれ体４のみの場合に比しより効果的に向上することができる効果がある。
【００３２】
特に、左右障子体５，５には張設和紙による自然の各種調整が機能し、すだれ体４との補完互助機能を有機的に発揮する。従って、列車走行による微振動から派生する各種の現象をより有効、有益な形で付与し、或いは各種の機能低下現象を回避することができる。
【００３３】
以上詳説した事項は、すだれ体４と左右障子体５，５と左右扉体６，６とカーテン７の四重重複構造としたことに特徴を有するものであるが、その使用形態は用途や環境や乗客の要望に応じて各種の使用形態の組合せにすることができるのは前述のとおりである。
【００３４】
すなわち、その選択の目的とするところは、採光、湿度、走行騒音、湿度、外観、雰囲気等を有機的に組合せて乗客に観光の最大のおもてなしを行うためである。
【００３５】
従って、かかる選択目的に合わせて四重の各種の部材を任意に組合せて使用することができる。
【００３６】
更に、本発明の実施例の特徴の一つは、図３〜図１２に示すように車窓２に施した構造や外観が車窓最前面に設けた額縁状の装飾された装飾枠体８に囲繞されていることにある。
【００３７】
装飾枠体８はいわゆる絵画等の額縁の様に一定の幅員とし、表面に施した彫刻模様を有した中空状に形成されており、外窓ガラス３の内側に重複して張設したすだれ体４、障子体５、扉体６、カーテン７等の各種の部材の周辺を装飾する。かかる額縁上の装飾枠体８の表面は図４，図５、図１０から図１２に示すように中心内方に向かって下り傾斜面としており、傾斜面の最下縁の奥方向にすだれ体等の各種の重複部材が存在するため、額縁状の装飾枠体８が外縁ほど前面に浮き上がり、その内側に外窓ガラス３を介して透視できる風景Ｖ（図３参照）が見えるため風景Ｖは奥行きをもってセットされている様に見える。従って、あたかも一幅の風景絵画を車窓２から視認することと同様の雰囲気を生成することができる。
【００３８】
しかも、車窓２を流れる風景Ｖのみならず、外窓ガラス３に重複して張設したすだれ体４等の各種の部材の形状そのものが絵画の代わりの現代アート的な模様として乗客の目を楽しませる。
【００３９】
上記した本発明の実施例の車窓構造１について、更に具体的な細部構造を図面に基づき詳説する。
図５、図１１及び図１２は、本発明の車窓構造の一部拡大図を含む横断面図であり、外窓ガラス３は間に空間を介在した二枚の合わせガラス１１，１１で構成し、その周縁は車輌本体Ａ１の外側壁Ｗ２の車窓縁に付設した区画枠部材３０で嵌め込み固定している。図１１，１２中の符号１２は二枚の合わせガラス１１，１１間に設けたスペーサである。
【００４０】
図１０（ｂ）、図１１及び図１２に示すように区画枠部材３０は、金属板で車輌の外側壁Ｗ２内面に断面略階段状の枠ブラケット３１を介して周縁を固定しており、更にはこの枠ブラケット３１の内周縁には、断面略コ字状の支持ブラケット３２基部が固定されており、該ブラケット３２の水平面には車窓基部枠３３が固定されている。また、他の枠ブラケット３４には断面略コ字状のすだれガイド３５が固定されており、更には、断面略コ字状のすだれガイドフレーム３６を固定することにより、すだれ体４両側縁が内部をスライドしながらガイドされる。
【００４１】
図１０（ｂ）に示すように特にすだれ体４を構成するひご体１３の両側縁にはスライドコマ体３７が付設されている。
【００４２】
外窓ガラス３の前面に配設された枠ブラケット３１の車窓基部枠３３の底面と天井面には図５、図１１及び図１２に示すようにスライド用のレール溝２１，２２，２３，２４が敷設されており、左右障子体５，５や左右扉体６，６がこのレール溝２１，２２，２３，２４に沿ってスライド自在に摺動する。
【００４３】
また、額縁状の装飾枠体８は図１２に示すように中空状で裏面にフック状ブラケット４０とスペーサ４１が突設されておりフック状ブラケット４０を介して車輌本体の内壁化粧板４２と支持ブラケット３２に当接固定している。
【００４４】
車窓構造１の上部を説明すると、図１１に示すように最外側には外窓ガラス３が区画枠部材３０を介して張設されており、区画枠部材３０の内面には断面略階段状の枠ブラケット５０を固定し、Ｌ字状枠ブラケット５１に支持ブラケット５２を固定して、支持ブラケット５２の天井面には、断面略階段状のカーテンレール用の枠ブラケット５３を介して下方開口のコ字状のガイドフレーム５４．５５が並設されており、各ガイドフレーム５４，５５には、左右障子体５，５と左右扉体６，６の上縁部がスライド自在に遊嵌されている。さらに、カーテンレール用の枠ブラケット５３には、カーテンレール５６を固定している。
【００４５】
この発明の実施例は上記のように構成されており、車窓に施した多重の重層構造により内装外観の変化を楽しむことができると共に、すだれ体や障子体や扉やカーテン等がそれぞれに一定の機能を果して外観の特徴のみならず、温度、湿気、騒音、防露飛散等の環境整備に有効な機能を果すことができる。
【００４６】
なお、本発明を実施形態を通して説明したが、本発明は実施形態に限定されるものではなく、特許請求の範囲の主旨を逸脱することのない限り、各構成要素の形状のレイアウトなどは適宜変更することができる。
【符号の説明】
【００４７】
Ａ  観光車輌
Ａ１  車輌本体
Ｂ  水回り空間
Ｄ1，Ｄ２  開閉扉
Ｄ３  客室扉
Ｉ  窓部
Ｌ  居住空間
Ｐ  通路
Ｒ  部屋
Ｓ  寝室空間
Ｓ１  ソファーベッド
Ｖ  風景
Ｗ１  区画壁
Ｗ２，Ｗ３  外側壁
１  車窓構造
２  車窓
３  外窓ガラス
４  すだれ体
５  障子体
６  左右扉体
７  カーテン
８  装飾枠体
【図１】
2015174507.tif 000003
【図２】
2015174507.tif 000004
【図３】
2015174507.tif 000005
【図４】
2015174507.tif 000006
【図５】
2015174507.tif 000007
【図６】
2015174507.tif 000008
【図７】
2015174507.tif 000009
【図８】
2015174507.tif 000010
【図９】
2015174507.tif 000011
【図１０】
2015174507.tif 000012
【図１１】
2015174507.tif 000013
【図１２】
2015174507.tif 000014